(57)【特許請求の範囲】
【請求項１】
主光信号を電気信号に変換する光電変換回路と、該光電変換回路により変換された電気信号を増幅する電気増幅回路と，前記電気増幅回路の出力レベルを識別する識別回路を有して構成される光受信機において、
前記電気増幅回路と識別回路との間に，
前記電気増幅回路の出力から光強度変調された入力信号光に重畳された不要強度変調成分を検出する不要強度変調成分検出回路と，前記電気増幅回路の出力から受信信号レベルを検出する信号レベル検出回路とを有し，
前記不要強度変調成分検出回路により検出された不要強度変調成分と，前記信号レベル検出回路により検出された受信信号レベルを加算し，前記電気増幅回路の利得を前記加算の結果に対応するように負帰還制御する帰還回路とを
有して構成されることを特徴とする光受信機。
【請求項２】
請求項１において，
前記不要強度変調成分検出回路は，不要強度変調成分を通過する帯域フィルタで構成し，前記信号レベル検出回路は，包絡線検波器により構成されることを特徴とする光受信機。
【発明の詳細な説明】
【０００１】
【産業上の利用分野】
本発明は、不要強度変調成分抑圧機能を有する光受信機、特に光増幅多中継システム用送信端局に於ける光受信機に関する。
【０００２】
【従来の技術】
光増幅多中継システムでは、各光増幅器において、利得偏光依存性がある場合受信端でのＳＮ比が劣化することが知られている。
【０００３】
希土類ドープファイバ増幅器の一例としてのエルビウム（Ｅｒ）・ドープファイバ（ＥＤＦＡ）を用いた光増幅器の場合、利得偏光依存性の主な要因は、ＥＤＦＡのポラリゼーション・ホール・バーニング（Polarization Hole Burning ：ＰＨＢ）効果である。
【０００４】
対策として入力偏波状態をＰＨＢの応答速度に比べて高速に変化させる偏波スクランブル、即ち変更変調を行えば、ＰＨＢの効果を緩和できＳＮ比の劣化を抑圧することができる。
【０００５】
しかしながら偏波スクランブルを行った場合、光増幅器に使用されている受動部品の偏光依存性損失のために、偏光変調が強度変調に変換され不要強度変調成分が生じることが知られている（例えば、ECOC '94, Proceedings Vol.2 P621-628に記載の論文:Polarization Hole-Burning in Erbium-Doped Fiber-Amplifier Transmission Systems)。
【０００６】
一方、光増幅多中継システムにおいては、システムの監視制御を行うため、送信端局から各中継器に対して監視制御信号を送信する場合がある。これを実現する方法として、しばしば変調度が数％の強度変調により主信号に監視制御信号を重畳させる監視制御信号重畳方式が取られる。
【０００７】
図１５、図１６は、従来の光受信機における構成と上記問題点を説明するための図である。
【０００８】
図１５において、光受信機は一例として、光プリアンプ１、主信号用光電変換器２、電気増幅器３、４、タイミング抽出回路５及び識別器６で構成されている。ここで、光プリアンプ１は、励起用レーザ光源１０と希土類（例えばエルビウム：Ｅｒ）のドープされたファイバ１１を有して構成される。
【０００９】
希土類ドープファイバ１１は、希土類元素イオンを添加して、エネルギ順位の差により光励起による進行波型レーザを構成するようにしたものである。励起用レーザ光源１０として高出力の半導体レーザが用いられる。
【００１０】
主信号用光電変換器２に、光プリアンプ１からの増幅された光受信信号が入力され、電気信号に変換される。主信号用光電変換器２により変換された、電気信号出力は、電気増幅器３、４により所定倍に増幅されて、識別器６に入力する。
【００１１】
一方、増幅器３から分岐された電気信号出力は、タイミング抽出回路５により信号タイミングが抽出され、このタイミングに同期して、識別器６により信号が識別される。
【００１２】
図１６は、上記図１５の光受信機の周波数帯域特性であり、横軸に入力光の強度変調周波数、縦軸に信号利得を示す。図において、（Ｉ）は主信号の周波数利得特性である。
【００１３】
この主信号の周波数利得特性のカットオフ周波数は、主信号のビットレートの０．７倍程度に設定される。一方、（II）は上記した偏波スクランブル用の変調周波数ｆscr 、監視制御信号変調周波数ｆsvのスペクトラムである。偏波スクランブル用の変調周波数ｆscr 、監視制御信号変調周波数ｆsvは、例えば主信号のビットレート１０ＧＨｚに対し、１０ＫＨｚ程度である。したがって、図１６では、ｆscr 及びｆsvのスペクトラムを共通のスペクトラムとして示している。
【００１４】
【発明が解決しようとする課題】
このように従来の光受信機の場合には、偏波スクランブル変調信号ｆscr による強度変調成分または監視制御信号ｆsvによる強度変調成分は、光受信機の周波数特性帯域内を通過することになり、主信号にとって雑音となる。これにより伝送特性が劣化させる要因となる。
【００１５】
したがって、本発明の目的は、主信号にとって不要な強度変調成分を阻止または抑圧することにより、光受信機の受信特性を改善することにある。
【００１６】
【課題を解決するための手段及び作用】
本発明は、主光信号を電気信号に変換する光電変換回路と、光電変換回路により変換された電気信号を識別する識別回路を有し、かつこの光電変換回路の前段側に主光信号を光増幅する光増幅回路と、光電変換回路の前段側に変換された主信号用電気信号を増幅する電気増幅回路を有して構成される光受信機を対象とし、請求項１の発明に従う光受信機は、前記主信号用の電気増幅回路の前段、後段もしくは、前記電気増幅回路中を容量結合し、この容量によって生じる低域周波数遮断特性の低域遮断周波数が偏波スクランブル周波数または監視制御用信号周波数よりも高くなるような容量の大きさを設定することを特徴とする。
【００１７】
請求項２の発明に従う光受信機は、偏波スクランブル周波数または監視制御用信号周波数と同一周波数の強度変調成分を検出する強度変調成分検出回路と、前記強度変調成分検出回路により得られる検出信号を光増幅回路又は電気増幅回路に帰還して、信号利得を制御することを特徴とする。
【００１８】
請求項３の発明に従う光受信機は、請求項２の発明に従う光受信機において、前記光増幅回路を希土類ドープファイバ光増幅器と励起用レーザ回路で構成し、前記強度変調成分検出回路より得られる検出信号を該励起レーザ回路の駆動電流に帰還することを特徴とする。
【００１９】
請求項４の発明に従う光受信機は、請求項２の発明に従う光受信機において、前記電気増回路は、ＡＧＣアンプを有し、前記強度変調成分検出回路より得られる検出信号を該ＡＧＣアンプの利得制御電圧に帰還することを特徴とする。
【００２０】
請求項５の発明に従う光受信機は、請求項３または４の発明に従う光受信機において、前記不要強度変調成分検出回路が、主信号系から光信号を分岐する光分岐部と、分岐された光信号を光電変換する光電気変換器と、前記偏波スクランブル周波数または監視制御信号周波数と同一周波数の信号を抽出する電気フィルタを有して構成され、不要強度変調成分に比例した検出信号を抽出することを特徴とする。
【００２１】
請求項６の発明に従う光受信機は、請求項３または４の発明に従う光受信機において、前記不要強度変調成分検出回路が、前記主信号用光電気変換器の後段に配置され、光電変換された電気信号の分岐部と、分岐部で分岐された信号から偏波スクランブル周波数または監視制御信号周波数と同一周波数の信号を抽出する電気フィルタを有し、不要強度変調成分に比例した検出信号を抽出することを特徴とする。
【００２２】
請求項７の発明に従う光受信機は、請求項５または６の発明に従う光受信機において、更に、前記不要強度変調成分検出回路からの検出信号に所定のオフセットを与えて帰還信号とし、帰還信号を前記ＡＧＣアンプの利得制御電圧もしくは、前記光増幅器回路の励起用レーザ回路の駆動電流に帰還する帰還回路を有し、オフセットに応じて一定の信号利得が得られ、検出信号に応じて不要強度変調成分が抑圧される様に信号利得が制御されることを特徴とする。
【００２３】
請求項８の発明に従う光受信機は、請求項５または６の発明に従う光受信機において、更に、光主信号の平均電力または電気主信号の信号振幅をモニタする信号レベル検出回路と、前記不要強度変調成分検出回路からの第一の検出信号と信号レベル検出回路からの第二の検出信号を前記ＡＧＣアンプの利得制御電圧もしくは、前記光増幅器回路の励起用レーザ回路の駆動電流に帰還する帰還回路を有し、第二の検出信号に応じて信号レベルを一定に保ち且つ、第一の検出信号に応じて不要強度変調成分を抑圧する様に信号利得が制御されることを特徴とする。
【００２４】
請求項９の発明に従う光受信機は、請求項８の発明に従う光受信機において、前記信号レベル検出回路が、光信号を主信号系から分岐する光分岐部と、分岐された光信号または光フィルタで光増幅に起因する自然放出光（ＡＳＥ： Amplified Spontaneous Emission)を遮断した後の光信号を光電変換する光電気変換器を有して構成されることを特徴とする。
【００２５】
請求項１０の発明に従う光受信機は、請求項９の発明に従う光受信機において、前記信号レベル検出回路の光電気変換器の出力を分岐して入力される電気フィルタを有し、電気フィルタにより不要強度変調成分の検出出力を得るようにして、信号レベル検出回路と不要強度変調成分検出回路の光分岐部および光電気変換器を共通化したことを特徴とする。
【００２６】
請求項１１の発明に従う光受信機は、請求項８の発明に従う光受信機において、前記信号レベル検出回路が、光信号を前記主信号用光電気変換器の後段に配置され、光電気変換器により変換された電気信号を主信号系から分岐する電気分岐部と、電気分岐部から分岐される電気信号の信号振幅に比例した電気信号を抽出する包絡線検波回路を有して構成されることを特徴とする。
【００２７】
請求項１２の発明に従う光受信機は、請求項１１の発明に従う光受信機において、前記電気分岐部から分岐される電気信号を入力し、不要強度変調成分を検出出力する電気フィルタを備え、前記信号レベル検出回路と不要強度変調成分検出回路を共通化したことを特徴とする。
【００２８】
前記請求項１の発明に従う光受信機は、光受信機の電気回路において低域遮断特性を形成する。このために電気回路間を容量結合し、容量によって生じる低域周波数遮断特性の遮断周波数が偏波スクランブル周波数または監視制御用重畳信号周波数よりも高くなるよう容量の値を設定される。これにより不要強度変調成分が主信号帯域を通過しなくすることが可能である。
【００２９】
更に請求項２以降の発明に従う光受信機は、光信号系または電気信号系において不要強度変調成分を検出する不要強度変調成分回路を備えるものであり、これにより検出した信号を光受信機の信号利得に帰還することにより、強度変調成分を抑圧するものである。
【００３０】
更に、信号利得の帰還に関して、光増幅回路の励起レーザの駆動電流に帰還するか、電気増幅回路の利得制御に帰還する構成とすることが可能である。かかる構成により、主信号に対し、不要な強度変調成分を阻止または抑制することが可能となる。
【００３１】
【実施例】
以下、本発明の実施例を図にしたがい説明する。尚、図において、同一または類似のものには、同一の参照番号及び記号を付して説明する。
【００３２】
図１は、本発明の第１の実施例ブロック図である。また、図２は、図１の実施例の周波数特性を説明する図である。
【００３３】
図１の実施例は、図１５の従来の光受信機の構成との比較において、中間増幅器７を主信号用光電変換器１及び増幅器３の間に備え、更に中間増幅器７の入力及び出力側に容量８、９を備えていることを特徴とする。
【００３４】
かかる第一の実施例の構成により、図２に示すような従来の光受信機の主信号の特性（１）に対し、（III）に示す特性となる。即ち、容量８、９を備えることにより、ｆｃ＝１／（２πＣＲ）なる関数式で求められる低域遮断周波数ｆｃにより（III）の帯域特性となる。
【００３５】
したがって、５０Ω系電気回路の場合を例として、Ｒ＝５０Ω、Ｃ＝０．３μＦとするとｆc ＝１０ｋＨｚとなり、偏波スクランブル周波数ｆscr または監視制御信号周波数ｆsvがｆc よりも低い周波数である場合には、不要強度変調成分は主信号帯域を通過しない。これにより、不要強度変調成分による主信号成分への影響が回避される。
【００３６】
電気回路が５０Ω系のディスクリート部品で構成されている様な場合には、市販のブロッキングキャパシタ等を接続すれば低域遮断特性を実現可能である。
【００３７】
ここで希土類ドープファイバ光増幅器を光プリアンプ１としている光受信機では、光プリアンプ１の励起レーザから出力される励起光電力を増減することによって利得を制御することができる。このことを利用し、検出回路からの検出信号が増加時には利得を小さく、検出信号が減少時には利得を大きくすることによって強度変調成分を抑圧することが可能である。
【００３８】
図３は、かかる原理に基づく本発明の第２の実施例構成例である。図３の実施例は、図１５の従来例との比較において、不要強度変調成分検出回路１３と帰還回路１４を有している。
【００３９】
不要強度変調成分検出回路１３は、光プリアンプ１と主信号用光電変換器２との間に備えられ、光分岐部１３０、モニタ用光電変換器１３１及び電気バンドパスフィルタ１３２を有する。
【００４０】
光分岐部１３０により分岐される光プリアンプ１からの出力は、モニタ用光電変換器１３１により、電気信号に変換される。次いで電気フィルタ１３２により、所定帯域の不要強度変調成分周波数が選択通過される。
【００４１】
この不要強度変調成分周波数が帰還回路１４に導かれる。帰還回路１４では、励起レーザ１０を励起する励起電圧を不要強度変調成分周波数に対応してこれを打ち消す方向に制御する
エルビウムドープファイバ光増幅器の場合には、励起レーザ駆動電流の変化が約１ｋＨｚ以内の周波数であれば、駆動電流に追従して利得を変化させることができることが本発明者等により確認されているので、１ｋＨｚ以内の強度変調成分であれば、これを抑圧することが可能である。
【００４２】
更に、第２の実施例において、上記の通り不要強度変調成分検出回路１３は、光分岐部１３０、光電変換器１３１、電気フィルタ１３２によって構成される。光分岐部１３０はバルクの光学部品によって構成してもよく、融着型光カプラにより構成することが可能である。
【００４３】
光電変換器１３１はホトダイオードを使用することが可能である。電気フィルタ１３２は通常の電気部品によって構成することができ、上記バンドパスフィルタによる場合の他、ローパスフィルタであってもよい。
【００４４】
但し、バンドパスフィルタの場合にはその中心周波数が偏波スクランブル周波数ｆscr もしくは監視制御信号周波数ｆsvと一致している必要がある。ローパスフィルタである場合には、高域遮断周波数が偏波スクランブル周波数ｆscr もしくは監視制御信号周波数ｆsvよりも高いものを使用する。ローパスフィルタの場合には、高域遮断周波数以下の周波数での光信号変動成分を同時に抑圧することが可能である。
【００４５】
図４は、本発明の第３の実施例ブロック図である。本実施例の図３の実施例との相違は、帰還回路１４に導かれる不要強度変調成分検出の位置が異なる点である。図４の実施例においては、不要強度変調成分検出回路１５として、増幅器３、４の間に設けられている。
【００４６】
ここでの不要強度変調成分検出回路１５は、バンドパスフィルタ又は、ローパスフィルタ等の電気フィルタ１５１を有して構成される。主信号用光電変換器２により電気信号に変換された信号は、増幅器３を通して、不要強度変調成分検出回路１５に入力する。更に、不要強度変調成分検出回路１５の電気分岐部１５０で分岐され、電気フィルタ１５１を通して不要強度変調成分のみが出力される。
【００４７】
この不要強度変調成分は、帰還回路１４に導かれる。そして、前記図３の実施例におけると同様に、不要強度変調成分の大きさに対応して、励起レーザ１０を励起する励起電圧を不要強度変調成分を打ち消す方向に制御が行われる。
【００４８】
このように、図４の実施例は、主信号を電気に変換した後に電気分岐回路で分岐すること以外は、図３の実施例と同じである。電気の分岐回路は、通常の電気部品を用いて構成可能である。図３の光受信機と同様に、希土類ドープファイバ型光プリアンプの励起レーザに帰還をかけることにより、不要強度変調成分を抑圧可能である。他の構成と機能は、図３の実施例と同様である。
【００４９】
図５は、本発明の第４の実施例ブロック図であり、本実施例は、前方向帰還を行う例である。図５において、不要強度変調成分検出回路１３は、図３の実施例と同様であるが、増幅器３をＡＧＣアンプとし、帰還回路１４は、不要強度変調成分検出回路１３により検出される不要強度変調成分の大きさに対応して、これを打ち消す方向にＡＧＣアンプ３の利得を自動制御するようにしている。したがって、図５の実施例は、フィードフォワード方式によるものと言える。
【００５０】
図６は、図４と図５の組み合わせによる本発明の第５の実施例としての光受信機の構成ブロック図を示す。図４と同様に不要強度変調成分検出回路１５を電気回路により構成している。更に、図５と同様に増幅器３をＡＧＣアンプとし、不要強度変調成分検出回路１５の検出出力を帰還回路１４を通して、ＡＧＣアンプ３に帰還するようにしている。したがって、図６の実施例は、図５の実施例に対し、フィードバックによりＡＧＣアンプ３の利得を制御するようにしている。
【００５１】
即ち、上記のように図６の実施例は、図５の実施例と同様に光受信機の主信号系電気段において、利得制御電圧によって利得を制御することが可能な電気ＡＧＣアンプ３を使用し、不要強度変調成分検出回路１５からの検出信号が増加時には利得を小さく、検出信号が減少時には利得を大きくすることによって強度変調成分を抑圧可能である。
【００５２】
図７は、本発明の第６の実施例である光受信機の構成例ブロック図を示す。この図７の実施例は、帰還回路１４への入力及び出力を切り替えることにより図３乃至図６のいずれの構成にも対応出来るようにした例である。
【００５３】
即ち、図３及び図５の光信号系における不要強度変調成分検出回路１３を用いて不要強度変調成分を抑圧するか、図４及び図６の電気信号系における不要強度変調成分検出回路１５を用いて不要強度変調成分を抑圧することが可能である。
【００５４】
更に、図７において、帰還回路１４には、加算回路１４０を有し、オフセット値を検出信号に加算するようにしている。更に、具体的には、帰還回路１４に検出信号Ａが入力し、出力がＢである時、図３の実施例、同様に入力がＡ’、出力がＢ：入力がＡ、出力がＢ’：入力がＡ’、出力がＢ’の時、それぞれ、図４、図５、図６の実施例に対応する構成となる。
【００５５】
即ち、不要強度変調成分検出回路の構成法として図３及び図５のように光信号系において構成する場合と、図４及び図６のように電気信号系において構成する場合の２通りがある。更に、不要強度変調成分の帰還方法として、図３及び図４のようにフィードバック方式と図５及び図６のようにフィードフォワード方式の２通りである。
【００５６】
更に、帰還先として光プリアンプ１の励起レーザ１０の駆動電流を制御するように帰還する方法と、電気ＡＧＣアンプ３の利得を制御するように帰還する方法がある。
【００５７】
図７の実施例は、上記の組み合わせで４種類の光受信機の構成が可能である。更に、図７の帰還回路１４では、図８（ａ）に示すような入力信号光に対し、検出信号Ｖ１（ｔ）〔図８（ｂ）〕にオフセットが加算された信号Ｆ（ｔ）〔図８（ｃ）〕を帰還する。帰還回路１４は、入力信号光の不要強度変調成分が増加時に信号利得が減少、不要強度変調成分が減少時に信号利得が増大するような帰還信号Ｆ（ｔ）〔図８（ｃ）〕を与える。
【００５８】
したがって、検出信号Ｖ１（ｔ）〔図８（ｂ）〕と帰還信号Ｆ（ｔ）〔図８（ｃ）〕は、図８に示されるように逆相になる。また、平均的な帰還信号Ｆ（ｔ）の信号利得はオフセット値によって決定される。
【００５９】
図９は、本発明の第７の実施例構成例ブロック図であり、図１０はその動作を説明する波形図である。図９の実施例は、図７の実施例に対し更に、不要強度変調成分検出回路１３の後段に第一の信号レベル検出回路１６と、不要強度変調成分検出回路１５の後段に第二の信号レベル検出回路１７を設けた構成である。
【００６０】
即ち、光受信機が、これら不要強度変調成分検出回路１３または不要強度変調成分検出回路１５と、第一の信号レベル検出回路１６または第二の信号レベル検出回路１７を有している。
【００６１】
光受信機の帰還回路１４は、入力信号光〔図１０（ａ）〕に対し、不要強度変調成分検出回路１３または１５からの検出信号Ｖ１〔図１０（ｂ）〕と、信号レベル検出回路１６または１７からの検出信号Ｖ２〔図１０（ｃ）〕に基づき電気ＡＧＣアンプ３の利得制御電圧もしくは光プリアンプ１の励起レーザダイオード１０の駆動電流に帰還信号Ｆ（ｔ）〔図１０（ｄ）〕を帰還する。
【００６２】
したがって、帰還回路１４は、図１０に示すように、入力信号光の不要強度変調成分が増加時に信号利得が減少し、不要強度変調成分が減少時に信号利得が増大するように、また信号レベル増加時に信号利得が減少し、及び信号レベル減少時に信号利得が増加するような帰還信号を与える〔図１０（ａ）と（ｄ）との関係を参照〕。
【００６３】
この帰還回路１４により、検出信号Ｖ２に応じて信号レベルを一定に保ちつつ、検出信号Ｖ１に応じて不要強度変調成分を抑圧する様に信号利得が制御される。
【００６４】
図１１は、図９における信号レベル検出回路１６の構成例である。光分岐部１６０により光信号を主信号系から分岐する。分岐された光信号または、光フィルタで、光増幅に起因して放出される成分である自然放出光（ＡＳＥ：Amplified Spontaneous Emission) を遮断した後の光信号を光電気変換器１６２により光電変換する。これにより、信号レベルに比例した電気信号を抽出する。
【００６５】
ＡＳＥ光による信号レベル検出誤差が大きくなる場合には、光分岐部１６０と光電変換器１６２の間に光フィルタ１６１を設けることによりＡＳＥ光を遮断して信号光のみを通過させればよい。
【００６６】
光分岐部１６０はバルクの光学部品によって構成してもよく、融着型光カプラでもよい。光電変換器１６２にはホトダイオードを使用することが可能である。
【００６７】
図１２は、レベル検出回路の他の構成例である。特に、上記図１１の光受信機の信号レベル検出回路１６と不要強度変調成分検出回路１３を共通化した回路である。この回路は、光分岐部１６０と光電気変換器１６２を共通に用いるようにすることにより可能である。
【００６８】
即ち、共通化部の光電変換器１６２からの出力をそのまま信号レベル検出信号Ｖ２(t) とし、分岐して電気フィルタ１３２を通すことにより不要強度成分検出信号Ｖ１(t) として得るように構成される。
【００６９】
図１３は、レベル検出回路１７の構成例である。電気分岐部１７０と包絡線検波回路１７１により構成される。即ち、電気主信号系において信号を分岐し、この電気信号の包絡線レベル即ち、信号振幅に比例した電気信号を抽出し、信号レベル検出信号Ｖ２(t) とする。
【００７０】
図１４は、レベル検出回路１７の他の構成例である。図１３の信号レベル検出回路１７と図６の不要強度変調成分検出回路１５を、共通に構成した例である。共通の電気分岐部１７０によって主信号系から分岐した後、さらに電気分岐回路によって分岐し、一方は信号レベル検出回路として包絡線検波回路１７１に導き、他方は不要強度変調成分検出回路として電気フィルタ１５１に入力する構成とすることが可能である。
【００７１】
これにより、共通の回路から、不要強度変調成分検出信号Ｖ１(t) 及び信号レベル検出信号Ｖ２(t) を得ることができる。
【００７２】
【発明の効果】
以上実施例にしたがい説明したように、本発明により主信号に対し、不要な強度変調成分を阻止または抑制することが可能となり、光受信機の受信特性を改善することができる。
【図面の簡単な説明】
【図１】本発明の第１の実施例ブロック図である。
【図２】図１の実施例特性を説明する図である。
【図３】本発明の第２の実施例ブロック図である。
【図４】本発明の第３の実施例ブロック図である。
【図５】本発明の第４の実施例ブロック図である。
【図６】本発明の第５の実施例ブロック図である。
【図７】本発明の第６の実施例ブロック図である。
【図８】図７の実施例特性を説明する図である。
【図９】本発明の第７の実施例ブロック図である。
【図１０】図９の実施例特性を説明する図である。
【図１１】レベル検出回路１６の構成例ブロックである。
【図１２】レベル検出回路１６の他の構成例ブロックである。
【図１３】レベル検出回路１７の構成例ブロックである。
【図１４】レベル検出回路１７の他の構成例ブロックである。
【図１５】従来の光受信機の構成例ブロック図である。
【図１６】従来の光受信機の周波数帯域特性を説明する図である。
【符号の説明】
１  光プリアンプ
２  主信号光電変換器
３、４、７  増幅器
５  タイミング抽出回路
６  識別器
８、９  容量
１０  励起レーザダイオード
１１  希土類ドープファイバ増幅器
１３、１５  不要強度変調成分検出回路
１３０  光分岐部
１３１  光電変換器
１３２  電気フィルタ
１４  帰還回路
１６、１７  レベル検出回路
【図１】
0003770635.tif 000002
【図２】
0003770635.tif 000003
【図３】
0003770635.tif 000004
【図４】
0003770635.tif 000005
【図５】
0003770635.tif 000006
【図６】
0003770635.tif 000007
【図７】
0003770635.tif 000008
【図８】
0003770635.tif 000009
【図９】
0003770635.tif 000010
【図１０】
0003770635.tif 000011
【図１１】
0003770635.tif 000012
【図１２】
0003770635.tif 000013
【図１３】
0003770635.tif 000014
【図１４】
0003770635.tif 000015
【図１５】
0003770635.tif 000016
【図１６】
0003770635.tif 000017